【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
プロセスに対するプロセスモデルを生成する方法であって、
前記プロセス内のプロセス変数および操作された変数に関するプロセスデータを収集することと、
特定の期間内に生成される前記収集されたプロセスデータから、前記操作された変数の変化後の前記プロセス変数に関連付けられたランプ速度を決定することであって、前記特定の期間は、前記プロセスに関連付けられたプロセス応答時間よりも短く、前記プロセスに関連付けられた無駄時間の期間の少なくとも部分的に終了後である、ランプ速度を決定することと、
前記決定されたランプ速度を使用して、前記プロセスに対するプロセスモデルを生成することと、
を含む、方法。
【請求項２】
前記操作された変数の変化後の前記プロセス変数に関連付けられた前記ランプ速度を決定することは、前記特定の期間にわたる前記プロセス変数の変化を決定すること含む、請求項１に記載の方法。
【請求項３】
前記プロセス変数に関連付けられたランプ速度を決定することは、前記特定の期間にわたる前記プロセス変数の変化を決定することを含み、前記特定の期間の長さは、前記プロセスに対して推定されたプロセス無駄時間に関連する、請求項１又は請求項２に記載の方法。
【請求項４】
前記決定されたランプ速度を使用して前記プロセスモデルを生成することは、前記プロセスモデルを生成するために、前記推定されたプロセス無駄時間および前記決定されたランプ速度を使用することを含む、請求項３に記載の方法。
【請求項５】
前記操作された変数における変化に応答して前記プロセスが定常状態に達するように制御されるより前に、前記プロセスを制御するためのパラメータを決定するように前記生成されたプロセスモデルを使用する、請求項１〜請求項４の何れか１項に記載の方法。
【請求項６】
前記特定の期間の長さは、前記推定されたプロセス無駄時間に等しい、請求項３又は請求項４に記載の方法。
【請求項７】
前記特定の期間の長さは、前記推定されたプロセス無駄時間の倍数である、請求項３又は請求項４に記載の方法。
【請求項８】
前記収集されたプロセスデータから、前記無駄時間を推定することをさらに含む、請求項１〜請求項７の何れか１項に記載の方法。
【請求項９】
前記決定されたランプ速度を使用して、前記プロセスに対する前記プロセスモデルを生成することは、前記決定されたランプ速度から、前記プロセスに対する積分ゲインを決定することを含む、請求項１〜請求項８の何れか１項に記載の方法。
【請求項１０】
前記プロセスに対する前記積分ゲインを決定することは、前記操作された変数の変化に対する前記決定されたランプ速度の比を決定することを含む、請求項９に記載の方法。
【請求項１１】
前記プロセスに対する前記生成されたプロセスモデルに関するプロセスモデルパラメータを決定するために、前記プロセスに対する前記積分ゲインを使用することをさらに含む、請求項９又は請求項１０に記載の方法。
【請求項１２】
前記特定の期間は、前記無駄時間の期間の終了時に開始し、前記無駄時間の１０倍以下の長さの時間、延長する、タイムフレーム内で生じる、請求項１〜請求項１１の何れか１項に記載の方法。
【請求項１３】
前記プロセス応答時間の終了前に、前記プロセスを制御するための制御パラメータを決定するために、前記プロセスモデルパラメータを使用することと、前記プロセス応答時間の終了時よりも前に前記プロセスを制御するために前記制御パラメータを使用することとをさらに含む、請求項１１に記載の方法。
【請求項１４】
前記操作された変数の変化後の前記プロセス変数に関連付けられた前記ランプ速度を決定することは、等しい長さの異なる期間にわたるプロセス変数ランプ速度の複数の値を決定することと、前記ランプ速度の複数の値の統計的基準として、前記ランプ速度を決定することと、を含む、請求項１〜請求項１３の何れか１項に記載の方法。
【請求項１５】
前記ランプ速度の前記複数の値の前記統計的基準は、前記ランプ速度の前記複数の値の最大値である、請求項１４に記載の方法。
【請求項１６】
前記ランプ速度の前記複数の値の前記統計的基準は、前記ランプ速度の前記複数の値の平均値である、請求項１４又は請求項１５に記載の方法。
【請求項１７】
前記プロセス応答時間の終了前に、前記プロセスの動作をシミュレートするために、前記生成されたプロセスモデルを使用することをさらに含む、請求項１〜請求項１６の何れか１項に記載の方法。
【請求項１８】
プロセスの動作をシミュレートする方法であって、
前記プロセス内のプロセス変数および操作された変数に関するプロセスデータを収集することと、
前記収集されたプロセスデータから、前記操作された変数の変化の後の前記プロセス変数に関連付けられたランプ速度を決定することと、
前記決定されたランプ速度を使用して、前記プロセスに対するプロセスモデルを生成することと、
（ｉ）前記プロセスが、前記操作された変数の前記変化に応答して定常状態に達するように制御される前に、前記プロセスモデルを使用して、前記プロセスの前記動作をシミュレートすることと、又は（ｉｉ）前記プロセスが、前記操作された変数の前記変化に応答して定常状態に達するように制御される前に、前記プロセスモデルを制御することと、
を含む、方法。
【請求項１９】
前記プロセス変数に関連付けられたランプ速度を決定することは、特定の期間にわたる前記プロセス変数の変化を決定することを含み、前記特定の期間は、無駄時間の期間の終了時に開始しかつ前記無駄時間の期間の終了後に前記無駄時間の１０倍以下の長さの時間延長するタイムフレーム内に生ずる、請求項１８に記載の方法。
【請求項２０】
前記決定されたランプ速度を使用して、前記プロセスに対する前記プロセスモデルを生成することは、前記決定されたランプ速度から、前記プロセスに対する積分ゲインを決定することを含む、請求項１８又は請求項１９に記載の方法。
【請求項２１】
前記プロセスに対する積分ゲインを決定することは、前記操作された変数の前記変化に対する前記決定されたランプ速度の比を決定することを含む、請求項１８〜請求項２０の何れか１項に記載の方法。
【請求項２２】
１組の制御パラメータを使用して、プロセス制御装置によって制御されているプロセスを制御する方法であって、
前記プロセス内のプロセス変数および操作された変数に関するプロセスデータを収集することと、
前記プロセスが、前記操作された変数の変化に応答して定常状態に達するように制御される前に、前記収集されたプロセスデータから、前記操作された変数の前記変化の後の前記プロセス変数に関連付けられたランプ速度を決定することと、
前記決定されたランプ速度を使用して、前記プロセスに対するプロセスモデルを生成することと、
前記プロセスが、前記操作された変数の前記変化に応答して定常状態に達するように制御される前に、前記プロセス制御装置に対する新しい１組の制御パラメータを決定するために、前記プロセスモデルを使用することと、
前記プロセスが、前記操作された変数の前記変化に応答して定常状態に達するように制御される前に、前記プロセス制御装置に、前記新しい１組の制御パラメータを提供することと、
を含む、方法。
【請求項２３】
前記操作された変数の変化後の前記プロセス変数に関連付けられた前記ランプ速度を決定することは、等しい長さの異なる期間にわたるプロセス変数ランプ速度の複数の値を決定することと、前記プロセス変数ランプ速度の前記複数の値の統計的基準として、前記ランプ速度を決定することとを含む、請求項２２に記載の方法。
【請求項２４】
プロセスモデル生成システムであって、
プロセッサと、
オンラインプロセス内のプロセス変数および操作された変数に関するプロセスデータを収集するように前記プロセッサで作動する、コンピュータ可読媒体上に格納される、第１のルーチンと、
プロセスに関連付けられたプロセス応答時間よりも短い期間にわたる前記操作された変数の変化後の前記プロセス変数に関連付けられたランプ速度を決定するように前記プロセッサで作動する、前記コンピュータ可読媒体上に格納される、第２のルーチンと、
前記決定されたランプ速度を使用して、前記プロセスに対するプロセスモデルを生成する、前記コンピュータ可読媒体上に格納される、第３のルーチンと、
を備える、プロセスモデル生成システム。
【請求項２５】
前記生成されたプロセスモデルに基づきかつ前記期間の終了より前に、（ｉ）前記プロセスを制御すること及び（ｉｉ）前記プロセスをシミュレートすることの少なくとも１つのためのパラメータを決定する、前記コンピュータ可読媒体上に格納される、第４のルーチンを含み、
前記プロセス応答時間は、第１の時間と第２の時間との間のタイムフレームであり、前記第１の時間は、前記操作された変数における変化に関連付けられ、前記第２の時間は、前記操作された変数における変化に応答する値に到達する前記プロセス変数に関連付けられる、
請求項２４に記載のプロセスモデル生成システム。
【請求項２６】
プロセスとともに使用するためのプロセスモデリングシステムであって、
前記プロセス内のプロセス変数および操作された変数に関するプロセスデータを収集する、データ収集ユニットと、
前記収集されたプロセスデータから、前記プロセスに関連付けられた無駄時間を決定する、無駄時間ユニットと、
前記決定された無駄時間に関連する特定の期間内に生成される、前記収集されたプロセスデータから、前記操作された変数の変化後の前記プロセス変数に関連付けられたランプ速度を決定する、ランプユニットであって、前記特定の期間は、前記プロセスに関連付けられたプロセス応答時間よりも短い、ランプユニットと、
前記決定されたランプ速度を使用して、前記プロセスに対するプロセスモデルを生成する、モデリングユニットと、
を備える、プロセスモデリングシステム。
【請求項２７】
前記ランプユニットは、前記特定の時間だけ前記収集されたプロセス変数を遅延させる、遅延ユニットと、現在のプロセス変数値と前記遅延ユニットによって遅延させられる前記プロセス変数値との間の差を示す差信号を決定する、加算器と、前記ランプ速度を生成するために、前記特定の時間によって前記差信号を除算する、除算器ユニットとを含む、請求項２６に記載のプロセスモデリングシステム。